(57)【要約】【課題】特に幼児や要介護者、また身体障害者のように体が不自由で、寝ている間に掛け布団がずれ落ちてしまい、それに気づかなかったり、落ちた布団を自分でかけ直す事ができない人の利用を考えて、掛け布団がずれ落ちるのを防ぐことが可能な、そして布団の上に寝たきりの人がいる場合でも、簡単にカバーの交換が可能な布団カバーを提供可能とする。【解決手段】敷き布団の上に、敷き布団カバー１を広げ置き四隅を入れ、カバーの下面に付いているマジックテープ（登録商標）で布団の出し入れ口を閉める。掛け布団カバー４の上に掛け布団カバー１１を広げて置き四隅を入れ、カバーの上面に付いているマジックテープ（登録商標）で、布団の出し入れ口を閉める。カバー１に設けたファスナー２とカバー４に設けたファスナー５を接続し、カバー１に設けたファスナー３とカバー４に設けたファスナー６を接続するようになっている。【選択図】      図５
2006158577.tif 000002
【特許請求の範囲】
【請求項１】
市販されている掛け布団・敷き布団のサイズに合わせたカバーで、掛け布団用は上面側で分離可能になっており、敷き布団用は下面側で分離可能となり、かつ前記掛け布団用カバーと前記敷き布団用カバーは、それぞれの側面において、全てもしくは一部がファスナーで分離可能になっていることを特徴とする布団カバー。
【請求項２】
前記ファスナーが逆回転引き手２個付きファスナーである請求項1記載の布団カバー。
【請求項３】
前記掛け布団カバーと敷き布団カバーは、それぞれ中央部で分離可能になっており、それぞれの布団の出し入れ口において面ファスナーを設けて布団を入れた後、簡単に口を閉じることのできる請求項１又は請求項２記載の布団カバー。
【発明の詳細な説明】
【技術分野】
【０００１】
本発明は掛け布団・敷き布団のカバーに関するものである。
【背景技術】
【０００２】
従来においても掛け布団や敷き布団用にカバーが用いられており、布団を出し入れする為にファスナーが付けられている。
【特許文献１】登録実用新案第３０１３４８２号公報
【発明の開示】
【発明が解決しようとする課題】
【０００３】
従来の布団カバーは、中に布団を入れても別々になっている為、就寝時に動くと布団がずれ落ちてしまい、特に子供や非健常者など体の不自由な方で、自分で布団のずれ落ちたのを直すことができない場合、寝冷えや肺炎、風邪などと体調不良の原因になってしまうという問題点がある。
【課題を解決するための手段】
【０００４】
１  市販されている掛け布団・敷き布団のサイズに合わせた布団カバーで、掛け布団用は上面側で分離可能になっており、敷き布団用は下面側で分離可能となり、かつ前記掛け布団用カバーと前記敷き布団用カバーは、それぞれの側面において全てもしくは一部がファスナーで分離可能になっていることを特徴とする。
２  前記ファスナーが逆回転引き手２個付きファスナーであることを特徴とする。
３  １又は２において、掛け布団カバーと敷き布団カバーはそれぞれ中央部で分離可能になっており、それぞれの布団の出し入れ口において面ファスナー（例えばマジックテープ（登録商標））を設けて、布団を入れた後簡単に口を閉じることのできることを特徴とする。
【発明の効果】
【０００５】
本発明は、掛け布団カバー・敷き布団カバーとも布団の出し入れ口が体に触れないように、またシーツのように少し動くとしわになり床ずれの原因の一つになる事を考慮したカバーなので、布団が中に入ることで背中にあたる所がしわにならない利点がある。また両側面についたファスナーには引き手が２個付いており、掛け布団カバー・敷き布団カバーを接続した後、頭側からも足側からも掛け布団の開閉が自由にでき、介護する場合、必要な部位だけ布団をまくり、おむつ交換や着替えなどをする事ができる。通常のカバーは、ファスナーやヒモなどで布団の出し入れ口を閉じる方法が用いられているが、本発明は敷き布団にカバーをかけた後、カバーの下面に布団の出し入れ口があって、マジックテープ（登録商標）が設けてある為、布団を捲り上げなくても手探りで出し入れ口を簡単に閉じる事ができ、かつ布団の上に要介護者が寝ている場合でも、その対象者の運動を最小限度に抑えてカバーの交換をすることが可能になる。またカバーの両側面のファスナーを接続する事で、寒い冬などは体の両側面への外気の進入を防ぐ為、保温性に優れ寝返りをしても掛け布団の巾だけの広さがある事で圧迫感もなく、逆に寝心地の良さをも感じられる。なおカバーなので掛け布団を厚手、薄手、タオルケットなどと季節に合わせて替えられる為、一年中を通して使用する事が可能である。
【発明を実施するための最良の形態】
【０００６】
本発明の布団カバーは、二組のファスナーを使用して一体型の掛け布団・敷き布団のカバーになるようにしたもので、例えば一組のファスナーを分離し、引き手金具の付いた方を敷き布団カバーの片側面に設け、金具の付いていない方を掛け布団カバーの片側面に設け、後でカバーの中に布団を入れそれらを接続する。次にもう一組のファスナーを分離し、それぞれのカバーの反対側面にファスナーを同じ方法で設け、それらを後で接続する。それから布団の出し入れ口については、カバーの中央部に設けるので、敷き布団カバーは、下面側にマジックテープ（登録商標）を付けた部位を、洗っても布のほずれがないよう三つ折りにして縫製をし、そこにマジックテープ（登録商標）をしっかり縫い付けるようにする。掛け布団カバーは、上面側に布団の出し入れ口を設け、その方法は敷き布団カバーと同じ要領で縫製をする。次に、カバーに布団を入れるが、敷き布団を下に敷き、敷き布団カバーの出し入れ口を下面にし上にのせ四隅を入れる。掛け布団は、掛け布団カバーの出し入れ口を上面にした上にのせ四隅を入れる。両側面にあるファスナーをそれぞれ接続する事で一体化した布団カバーとなる。
【実施例】
【０００７】
図１は敷き布団カバー１で、ファスナー２と３を両側面に設け、また布団の出し入れ口７の出し入れ口を大きくし、マジックテープ（登録商標）９を設けることで簡単に敷き布団の出し入れができるようになっている。
【０００８】
図２は掛け布団カバーで、ファスナー５と６を両側面に設け、また掛け布団の出し入れ口８の出し入れ口を大きくし、マジックテープ（登録商標）を設けることで簡単に敷き布団の出し入れができるようになっている。
【０００９】
図３は要介護者が布団の上に寝たままで、敷き布団カバー１を付ける場合を説明するもので、対象者を布団の中心より奥側に移し、敷き布団カバー１を敷き布団１０の上に半分広げ置き頭部隅を入れ、次に足部隅を入れる。次に対象者をカバーを付け終えた側に移し、あと半分側のカバーを付け、下面にあるマジックテープ（登録商標）９で出し入れ口７を閉じる。簡単にカバーの着脱ができるので対象者の運動が最小限度に抑えられ、また布団の出し入れ口７が体にあたらないよう下面に付いているので、床ずれの原因の一つを防ぐことができる。
【００１０】
図４の掛け布団カバー４の上に掛け布団１１を広げ置き、四隅を順に入れていき、マジックテープ（登録商標）９で掛け布団の出し入れ口８を閉じる。
【００１１】
図５の敷き布団カバー１に設けられたファスナー２と、掛け布団カバー４に設けられたファスナー５を接続し、敷き布団カバーに設けられたファスナー３と、掛け布団カバー４に設けられたファスナー６を接続し、一体化することにより、ファスナーに２個の引き手が付いているので、頭部方向を開けたい場合はそのファスナーを引き、足部の方向を開けたい場合はスソ側のファスナーを引けば自由に開閉できる。
【００１２】
図６の敷き布団カバー１の両側面に弾性体のひも１２を設け、そのひもの先にフック１３を取れないようにつなぎ止める。
【００１３】
図７のベッドを使用の場合、布団ごと落ちる心配のある時、敷き布団カバー１にひも１２とフック１３を設け、敷き布団１０をいれ、ベッド１４の上に布団を置き、ベッド本体の両側面と下側にひも１２をまわし、フック１３を引き寄せ引っかけてひもをつなぎ布団が動かないようにもできる。
【図面の簡単な説明】
【００１４】
【図１】本発明の布団カバーの実施例の敷き布団カバーの説明図である。
【図２】本発明の布団カバーの実施例の掛け布団カバーの説明図である。
【図３】本発明の敷き布団カバーの一実施例の実施状態を示す説明図である。
【図４】本発明の掛け布団カバーの一実施例の実施状態を示す説明図である。
【図５】本発明の敷き布団カバーと掛け布団カバーの実施例の実施状態を示す説明図である。
【図６】本発明の他の実施例の実施状態を示す説明図である。
【図７】本発明の他の実施例の実施状態を示す斜視図である。
【符号の説明】
【００１５】
１  敷き布団カバー
２  逆回転引き手２個付ファスナーＡ
３  逆回転引き手２個付ファスナーＢ
４  掛け布団カバー
５  ファスナーＡ´
６  ファスナーＢ´
７  敷き布団カバーの下側にある出し入れ口
８  掛け布団カバーの上側にある出し入れ口
９  マジックテープ（登録商標）
１０  敷き布団
１１  掛け布団
１２  弾性体のひも
１３  フック
１４  ベッド
【図１】
2006158577.tif 000003
【図２】
2006158577.tif 000004
【図３】
2006158577.tif 000005
【図４】
2006158577.tif 000006
【図５】
2006158577.tif 000007
【図６】
2006158577.tif 000008
【図７】
2006158577.tif 000009